(57)【要約】【課題】奥行きや高さに制限があるとともに浸水の可能性もあり得る収容空間に取付可能なＬＥＤ灯具を提供する。【解決手段】本実施形態に係るＬＥＤ灯具１０では、内部空間に複数のＬＥＤチップ１６が実装された基板１５を収容するレンズ１１は、扁平した筒形状を有する。これにより、直管形のＬＥＤランプのように、ＬＥＤ基板の周囲を覆うレンズが円筒状である場合に比べて収容空間が大きくならない。また、レンズ１１の両側に設けられる一組のエンドキャップ２０とレンズ１１の両端との間には、これらの両者間を液密に密着させるガスケット３０が介在する。これにより、レンズ１１の内部空間に雨水等が入り難くなる。したがって、奥行きや高さに制限があるとともに浸水の可能性もあり得る収容空間にも取り付けられる。【選択図】図１
2018018820.tif 000002
【特許請求の範囲】
【請求項１】
扁平した筒形状を有する筒状レンズと、
前記筒状レンズの内部空間に収容可能な短冊形状を有するとともに複数の発光ダイオードが実装されたＬＥＤ基板と、
前記発光ダイオードが実装されていない前記ＬＥＤ基板の裏側面のほぼ全体を前記筒状レンズの内部空間において支持する支持部材と、
前記筒状レンズの両側に設けられ前記支持部材を挟持する一組のキャップと、
前記筒状レンズの両端と前記キャップの間に介在してこれらの両者間を液密に密着させる防水部材と、
を備えることを特徴とするＬＥＤ灯具。
【請求項２】
前記防水部材は、前記筒状レンズの軸方向および前記筒状レンズの径方向の少なくとも一方に位置することを特徴とする請求項１に記載のＬＥＤ灯具。
【請求項３】
前記防水部材は、前記筒状レンズの軸方向および前記筒状レンズの径方向の両方に位置してこれらが一体に形成されることを特徴とする請求項１に記載のＬＥＤ灯具。
【請求項４】
前記キャップは、前記筒状レンズの両側に取り付けられた場合に前記ＬＥＤ基板を長手方向に押圧する押圧部を有することを特徴とする請求項１〜３のいずれか一項に記載のＬＥＤ灯具。
【発明の詳細な説明】
【技術分野】
【０００１】
本発明は、ＬＥＤ灯具に関するものである。
【背景技術】
【０００２】
ＬＥＤ灯具として、例えば、下記特許文献１に開示される直管形のＬＥＤランプがある。このような直管形のＬＥＤランプは、従来の蛍光ランプに対して寸法、形状や口金等の互換性を確保するため、円筒状の透明チューブの中に光源（発光ダイオード）が収容されているものが多い。
【先行技術文献】
【特許文献】
【０００３】
【特許文献１】特開２０１４−３８８５３号公報
【発明の概要】
【発明が解決しようとする課題】
【０００４】
しかしながら、光源である発光ダイオードは、特定方向に鋭い指向性で発光するため、光学的には、外形等を特に円筒状にする必要はない。また、高さや奥行きに制限のある空間に収容する場合には、それらの制限を満たすことができず却って円筒状であることがデメリットになることもあり得る。
【０００５】
また、屋外や浸水の可能性がある空間で使用される場合には、雨水等に対する防水構造が必要になるものの、上記特許文献１に開示される直管形のＬＥＤランプではそのような対策が講じられていない。
【０００６】
本発明は、上述した課題を解決するためになされたものであり、奥行きや高さに制限があるとともに浸水の可能性もあり得る収容空間に取付可能なＬＥＤ灯具を提供することを目的とする。
【課題を解決するための手段】
【０００７】
上記目的を達成するため、特許請求の範囲の請求項１に記載されたＬＥＤ灯具は、扁平した筒形状を有する筒状レンズと、前記筒状レンズの内部空間に収容可能な短冊形状を有するとともに複数の発光ダイオードが実装されたＬＥＤ基板と、前記発光ダイオードが実装されていない前記ＬＥＤ基板の裏側面のほぼ全体を前記筒状レンズの内部空間において支持する支持部材と、前記筒状レンズの両側に設けられ前記支持部材を挟持する一組のキャップと、前記筒状レンズの両端と前記キャップの間に介在してこれらの両者間を液密に密着させる防水部材と、を備えることを特徴とする。
【０００８】
請求項１に記載のＬＥＤ灯具の発明では、内部空間に複数の発光ダイオードが実装されたＬＥＤ基板を収容する筒状レンズは、扁平した筒形状を有する。これにより、直管形のＬＥＤランプのように、ＬＥＤ基板の周囲を覆うレンズが円筒状である場合に比べて収容空間が大きくならない。また、筒状レンズの両側に設けられる一組のキャップと筒状レンズの両端との間には、これらの両者間を液密に密着させる防水部材が介在する。これにより、筒状レンズの内部空間に雨水等が入り難くなる。
【０００９】
また、特許請求の範囲の請求項２に記載されたＬＥＤ灯具は、請求項１に記載されたＬＥＤ灯具において、前記防水部材は、前記筒状レンズの軸方向および前記筒状レンズの径方向の少なくとも一方に位置することを特徴とする。
【００１０】
請求項２に記載のＬＥＤ灯具の発明では、防水部材は、筒状レンズの軸方向および筒状レンズの径方向の少なくとも一方に位置する。これにより、筒状レンズの軸方向に位置する防水部材によって、当該軸方向における筒状レンズとキャップとの間が防水部材を介して液密に密着する。そのため、筒状レンズの径方向からの水等の液体の浸入を防止することが可能になる。また、筒状レンズの径方向に位置する防水部材によって、当該径方向における筒状レンズとキャップとの間が防水部材を介して液密に密着する。そのため、筒状レンズの軸方向からの水等の液体の浸入を防止することが可能になる。
【００１１】
さらに、特許請求の範囲の請求項３に記載されたＬＥＤ灯具は、請求項１に記載されたＬＥＤ灯具において、前記防水部材は、前記筒状レンズの軸方向および前記筒状レンズの径方向の両方に位置してこれらが一体に形成されることを特徴とする。
【００１２】
請求項３に記載のＬＥＤ灯具の発明では、防水部材は、筒状レンズの軸方向および筒状レンズの径方向の両方に位置してこれらが一体に形成される。これにより、このような防水部材によって、筒状レンズの軸方向および径方向の両方向で筒状レンズとキャップとの間が防水部材を介して液密に密着する。そのため、１つの防水部材で、筒状レンズの径方向および軸方向の両方向からの水等の液体の浸入を防止することが可能になる。
【００１３】
また、特許請求の範囲の請求項４に記載されたＬＥＤ灯具は、請求項１〜３のいずれか一項に記載のＬＥＤ灯具において、前記キャップは、前記筒状レンズの両側に取り付けられた場合に前記ＬＥＤ基板を長手方向に押圧する押圧部を有することを特徴とする。
【００１４】
請求項４に記載のＬＥＤ灯具の発明では、キャップは、筒状レンズの両側に取り付けられた場合にＬＥＤ基板を長手方向に押圧する押圧部を有する。これにより、ＬＥＤ基板が筒状レンズの軸方向に移動することを阻止する。そのため、例えば、このような軸方向移動を阻止する構成を支持部材に設けることなくＬＥＤ基板の同方向の固定が可能になる。
【発明の効果】
【００１５】
本発明では、直管形のＬＥＤランプのように、ＬＥＤ基板の周囲を覆うレンズが円筒状である場合に比べて収容空間が大きくならない。また、筒状レンズの内部空間に雨水等が入り難くなる。したがって、奥行きや高さに制限があるとともに浸水の可能性もあり得る収容空間にも取り付けられる。
【図面の簡単な説明】
【００１６】
【図１】本発明の一実施形態に係るＬＥＤ灯具の構成例を示す斜視図であり、部分的に内部が見えるようにレンズの記載が省略されている。
【図２】本実施形態のＬＥＤ灯具の構成例を示す平面図である。
【図３】図３(A)は、図２に示すIII-A線で切断した断面を同矢印方向から見た断面図であり、図３(B)は、図２に示すIII-B線で切断した断面を同矢印方向から見た断面図である。
【図４】本実施形態のＬＥＤ灯具を構成するエンドキャップの構成例を示す図であり、図４(A)および図４(B)は斜視図、図４(C)は図２に示すIV-C線で切断した断面を同矢印方向から見た断面図である。
【図５】本実施形態のＬＥＤ灯具を構成するガスケットの構成例を示す図であり、図５(A)および図５(B)は斜視図、図５(C)は図２に示すＶ-C線で切断した断面を同矢印方向から見た断面図である。
【図６】本実施形態のＬＥＤ灯具を分解した状態を示す分解斜視図である。
【図７】本実施形態のＬＥＤ灯具を構成するガスケットの他の構成例を示す断面図（図３(B)に相当）であり、図７(A)は改変例１の断面図、図７(B)は改変例２の断面図、である。
【発明を実施するための形態】
【００１７】
以下、本発明のＬＥＤ灯具の実施形態について図を参照して説明する。本実施形態に係るＬＥＤ灯具１０の構成概要を図１〜図３を参照して説明する。図１には、ＬＥＤ灯具１０の斜視図が図示されている。また、図２には、ＬＥＤ灯具１０の平面図が図示されている。さらに、図３(A)には、図２に示すIII-A線で切断した断面を同矢印方向から見たＬＥＤ灯具１０の断面図が図示されている。また、図３(B)には、図２に示すIII-B線で切断した断面を同矢印方向から見たＬＥＤ灯具１０の断面図が図示されている。
【００１８】
図１〜図３に示すように、ＬＥＤ灯具１０は、複数のＬＥＤチップ（発光ダイオード）１６が長手方向に沿って列状に設けられて、車両の外装内（例えば、フロントグリル内）に設置される屋外用の照明装置である。なお、本明細書では、図１〜図３，図７に示す座標軸表示におけるＸ軸方向を「短手方向」といい、またＹ軸方向を「長手方向」、さらにＺ軸方向を「高さ方向」という場合がある。
【００１９】
ＬＥＤ灯具１０は、主に、レンズ１１、フレーム１３、ＬＥＤ基板１５、ＬＥＤチップ１６、電気配線１７、内圧調整シール１９、エンドキャップ２０、ガスケット３０により構成されている。なお、図１では、レンズ１１の記載が一部省略されており（二点鎖線部分）、レンズ１１の内部空間に収容されているフレーム１３、ＬＥＤ基板１５やＬＥＤチップ１６が部分的に内部が見えるように表現されている。
【００２０】
レンズ１１は、扁平した筒形状に形成されている無色透明のレンズであり、例えば、ポリカーボネート製である。本実施形態では、レンズ１１の短手方向の断面形状は、長方形状であって長辺の一方が外側に膨らんだ丸角の矩形状に形成されている（図３(A)参照）。この膨らんだ長辺側が、ＬＥＤ灯具１０の正面、即ちＬＥＤチップ１６の出射方向に対向するように位置している。レンズ１１の短手方向の断面形状は、例えば楕円でもよい。楕円の場合、長径の曲面がＬＥＤ灯具１０の正面になる。なお、レンズ１１の内壁面には、フレーム１３の挿入時に障害になるような凹部や凸部が存在しない。
【００２１】
図３(A)に示すように、フレーム１３は、レンズ１１の内部空間内において、ＬＥＤ基板１５を支持する支持部材であり、例えば、アルミニウム製である。本実施形態では、フレーム１３は、レンズ１１の内壁１１ａに接することなくレンズ１１の内部空間に収容可能な寸法および形状に構成されている。具体的には、フレーム１３は、表面部１３ａおよび裏面部１３ｂを有する平板状のプレート部と、このプレート部の両側に形成されて、溝部１３ｃ、雌ねじ孔１３ｄおよび反射部１３ｅを有するビーム部と、により構成されている。プレート部およびビーム部は、押出加工または切削加工により一体に成形されている。
【００２２】
溝部１３ｃは、プレート部の表面部１３ａとビーム部に設けられる反射部１３ｅとの間において、ＬＥＤ基板１５をその短手方向から２箇所（両側）で挟み込む得るように形成されている。これにより、プレート部の表面部１３ａにおいて、ＬＥＤ基板１５が短手方向（Ｘ軸方向）に移動することを防止している。このような溝部１３ｃの外側には、雌ねじ孔１３ｄが形成されている。
【００２３】
雌ねじ孔１３ｄは、後述するように、フレーム１３を両側から挟み込むエンドキャップ２０とともにエンドキャップ２０を貫通するビス１８と螺合可能に形成されている。本実施形態では、雌ねじ孔１３ｄは、フレーム１３のプレート部を短手方向両側から挟むように位置する両ビーム部にそれぞれ形成されている。これにより、一方のエンドキャップ２０において、ビス１８によるねじ締結を２箇所で可能にしている。
【００２４】
反射部１３ｅは、ＬＥＤ基板１５に実装されるＬＥＤチップ１６から所定の広がり角度で扇状に出射される光を反対方向に反射する機能を有するものである。即ち、反射部１３ｅは、フレーム１３のプレート部を短手方向両側から挟むように位置する両ビーム部にそれぞれ設けられることにより、ＬＥＤチップ１６から出射されて扇状に拡がる出射光を光軸方向に向ける。これにより、ＬＥＤチップ１６の出射光がＬＥＤ灯具１０の短手方向（Ｘ軸方向）に向かい難くしている。
【００２５】
このように構成されるフレーム１３のプレート部に載置されるＬＥＤ基板１５は、図１に示すように、短冊状に形成されるプリント配線板である。このＬＥＤ基板１５には、複数のＬＥＤチップ１６が実装されており、これらのＬＥＤチップ１６には、電気配線１７から入力される駆動電力が図略のプリント配線を介して供給される。
【００２６】
本実施形態では、ＬＥＤ基板１５は、その裏側面（ＬＥＤチップ１６が実装されていない面）のほぼ全体がフレーム１３の表面部１３ａに密着している。これにより、ＬＥＤチップ１６が発光時に生じる熱をフレーム１３に逃がし得る。なお、放熱効果を高めるため、ＬＥＤ基板１５の裏側面とフレーム１３の表面部１３ａとの間には、放熱用のシリコングリース（ヒートシンカー）を介在させる場合もある。
【００２７】
次に、図４を加えてエンドキャップ２０の構成を詳細に説明する。図４(A)には、エンドキャップ２０をその外端部の方向から見た斜視図が図示されており、また図４(B)には、エンドキャップ２０をその内端部の方向から見た斜視図が図示されている。さらに図４(C)には、図２に示すIV-C線で切断した断面を同矢印方向から見た断面図が図示されている。
【００２８】
エンドキャップ２０は、レンズ１１の両側に設けられてフレーム１３を挟持する部材である。本実施形態では、エンドキャップ２０は、主に、本体部２１、管状部２２、フランジ部２３およびタブ２８により構成されており、これらは、例えば、ポリカーボネート製であり一体に成形されている。
【００２９】
本体部２１は、エンドキャップ２０をレンズ１１に取り付けた状態においてＹ軸方向から見た形状（以下「本体部２１の正面形状」という）が、レンズ１１の端部形状（または短手方向の形状）とほぼ同様の形状を有するように構成されている。本実施形態のＬＥＤ灯具１０には設けられていないが、ＬＥＤ灯具１０をその取付面にねじ締結により固定する場合等に用いられる固定用タブを備えていることもある。本体部２１には、レンズ１１に装着した場合にレンズ１１内に収容される管状部２２が連続して形成されている。
【００３０】
管状部２２は、その周囲にガスケット３０を取り付けるために設けられており、内部が中空で、レンズ１１の端部形状（または短手方向の形状）とほぼ同様の形状を等比で縮小した寸法および形状に形成されている。本実施形態では、管状部２２の周囲にガスケット３０を取り付けた状態でＹ軸方向から見える形状が、本体部２１の正面形状とほぼ同形状となるように管状部２２が構成されている（図１および図２参照）。当該管状部２２の先端には、ガスケット３０の抜け止めとして機能し得るフランジ部２３が設けられている。
【００３１】
タブ２８は、管状部２２内からＹ軸方向に向けて突出する薄板形状の部材であり、板幅方向の中央にはＹ軸方向に延びる線条凸状のリブ２８ａが形成されている。リブ２８ａは、タブ２８の機械的な強度を高めるために設けられている。タブ２８がフランジ部２３から突出する長さは、エンドキャップ２０をレンズ１１に取り付けた状態において、レンズ１１内に収容されているＬＥＤ基板１５の端部を押圧し得る程度に設定されている。これにより、エンドキャップ２０がレンズ１１の両側に取り付けられた場合にＬＥＤ基板１５をその長手方向両側から押圧することが可能になるので、ＬＥＤ基板１５がレンズ１１の長手方向（Ｙ軸方向）に移動することを阻止できる。
【００３２】
エンドキャップ２０には、レンズ１１に収容したフレーム１３を外部からビス１８によりねじ締結して固定し得る貫通孔２５が２箇所に形成されている。即ち、レンズ１１内に収容した状態のフレーム１３に対して、その雌ねじ孔１３ｄにビス１８をねじ止め可能な本体部２１の所定位置に貫通孔２５が形成されている。また、本体部２１には、電気配線１７を通すための配線穴２６も２箇所に形成されている。本実施形態では、タブ２８のリブ２８ａを挟んでその両側に配線穴２６が形成されている。本実施形態では、配線穴２６の開口表面の周囲に、配線穴２６の内径よりも大径に設定された環状凹部２６ａが形成されている。
【００３３】
ＬＥＤ灯具１０は、それを単体で使用する場合には、両端に設けれられ２つのエンドキャップ２０のうち、一方のエンドキャップ２０の配線穴２６に電気配線１７を通し、他方のエンドキャップ２０の配線穴２６は、レンズ１１の内部空間と外部空間との通気口として使用する。レンズ１１の内部空間は、その気圧がＬＥＤチップ１６の点灯時と消灯時とで異なる。そのため、このような気圧変動を通気口として機能する配線穴２６により外気圧と同等に調整するとともに、環状凹部２６ａに内圧調整シール１９を貼付する。これにより、湿気や液体が外部空間から内部空間に吸い込まれることを防止することが可能になる。内圧調整シール１９は、例えば、空気等の気体の流通を許容する一方で、水等の液体の流通を阻止する機能を有する多孔質膜製のフィルタである。
【００３４】
続いて、さらに図５を加えてガスケット３０の構成を詳細に説明する。図５(A)には、ガスケット３０をその外端部の方向から見た斜視図が図示されており、また図５(B)には、ガスケット３０をその内端部の方向から見た斜視図が図示されている。さらに図５(C)には、図２に示すＶ-C線で切断した断面を同矢印方向から見た断面図が図示されている。
【００３５】
ガスケット３０は、前述したようにエンドキャップ２０の管状部２２の周囲に取り付けられて、レンズ１１の端部とその端部に取り付けられるエンドキャップ２０との間に介在してこれらの両者間を液密に密着させる防水部材である。本実施形態では、主に、大径部３１および小径部３２により構成されており、これらは一体に成形されている。ガスケット３０は、例えばシリコンゴム製である。
【００３６】
大径部３１は、エンドキャップ２０に取り付けられた状態においては、管状部２２の周囲であってレンズ１１と本体部２１との間（長手方向（Ｙ軸方向））に位置する（図３(B)参照）。そのため、この状態において、Ｙ軸方向から見える形状が、本体部２１の正面形状とほぼ同形状となるように大径部３１の寸法および形状が構成されている（図１および図２参照）。ただし、Ｙ軸方向の長さは、レンズ１１の端部と本体部２１との隙間間隔よりも僅かに大きくなるように設定されている。これにより、この隙間、つまりレンズ１１とエンドキャップ２０の本体部２１との間に介在する大径部３１によって、これら両者間の隙間が塞がって当該両者が大径部３１を介して液密に密着する。そのため、レンズ１１の短手方向（Ｘ軸方向）からの水等の液体の浸入を防止することが可能になる。
【００３７】
これに対して、小径部３２は、エンドキャップ２０に取り付けられた状態においては、管状部２２の周囲であってレンズ１１と管状部２２との間（短手方向（Ｘ軸方向））に位置する（図３(B)参照）。つまり、レンズ１１の内周壁と管状部２２の外周壁との隙間に挟み込まれ得る形状に小径部３２の寸法および形状が構成されている。本実施形態では、先端に向けて縮径する（下る）テーパ部３２ａが形成されており、テーパ部３２ａの先端の厚さは当該隙間間隔よりも小さくなるように、またテーパ部３２ａの後端の厚さは当該隙間間隔よりも大きくなるように、それぞれ設定されている。これにより、レンズ１１の内周壁と管状部２２の外周壁との隙間に小径部３２が差し込み易くなるので、後述する組付工程におけるガスケット３０の組み付けを容易にしている。また、この隙間、つまりレンズ１１とエンドキャップ２０の管状部２２との間に介在する小径部３２によって、これら両者間の隙間が塞がって当該両者が小径部３２を介して液密に密着する。そのため、レンズ１１の長手方向（Ｙ軸方向）からの水等の液体の浸入を防止することが可能になる。
【００３８】
このようにガスケット３０は、大径部３１と小径部３２がレンズ１１の長手方向と短手方向との両方に位置してこれらが一体に形成される。これにより、レンズ１１の長手方向（Ｘ軸方向）および短手方向（Ｙ軸方向）の両方向でレンズ１１とエンドキャップ２０との間がガスケット３０を介して液密に密着する。そのため、１つのガスケット３０で、レンズ１１の短手方向（Ｙ軸方向）および長手方向（Ｘ軸方向）の両方向からの水等の液体の浸入を防止することが可能になる。なお、当該レンズ１１またはそれに相当するレンズが、円筒形状のものを扁平させた形状（径方向の断面形状が楕円形状）である場合には、上記の「短手方向（Ｙ軸方向）」は、「径方向」に読み替える必要がある。
【００３９】
このように構成されるＬＥＤ灯具１０は、例えば、図６の分解斜視図に示すように組み付けられる。例えば、ＬＥＤチップ１６が実装されて電気配線１７がハンダ付けされたＬＥＤ基板１５を、フレーム１３の溝部１３ｃ（図３(A)参照）に差し込むようにスライドさせてフレーム１３に取り付ける（図６においては、電気配線１７がＬＥＤ基板１５に接続されていない状態が図示されている）。
【００４０】
このようにＬＥＤ基板１５を取り付けたフレーム１３は、次にレンズ１１の開口からレンズ１１内（内部空間）に収容される。本実施形態では、フレーム１３は、レンズ１１の内壁１１ａに接することなくレンズ１１の内部空間に収容可能な寸法および形状に構成されている。また、レンズ１１の内壁面には、フレーム１３の挿入に際して障害になるような凹部や凸部が存在しない。そのため、レンズ１１内にフレーム１３を入れる際に、フレーム１３がレンズ１１内の凹凸等に引っ掛かったりすることがないので、レンズ１１内にフレーム１３を収容する作業を容易に行うことが可能になる。
【００４１】
レンズ１１内に収容されたフレーム１３の両端に、予めガスケット３０を取り付けたエンドキャップ２０をそれぞれ取り付ける。これとほぼ同時期に、電気配線１７をエンドキャップ２０の配線穴２６に挿通して外部に引き出す。フレーム１３の両端にガスケット３０を取り付けた後、エンドキャップ２０をさらに取り付けてもよい。レンズ１１に取り付けたエンドキャップ２０の貫通孔２５にビス１８を挿入してフレーム１３の雌ねじ孔１３ｄとねじ締結する。また電気配線１７を挿通しない方のエンドキャップ２０の配線穴２６に内圧調整シール１９を貼付する。これにより、ＬＥＤ灯具１０の組み付けが完了する。
【００４２】
以上説明したように本実施形態に係るＬＥＤ灯具１０では、内部空間に複数のＬＥＤチップ１６が実装されたＬＥＤ基板１５を収容するレンズ１１は、扁平した筒形状を有する。これにより、直管形のＬＥＤランプのように、ＬＥＤ基板の周囲を覆うレンズが円筒状である場合に比べて収容空間が大きくならない。また、レンズ１１の両側に設けられる一組のエンドキャップ２０とレンズ１１の両端との間には、これらの両者間を液密に密着させるガスケット３０が介在する。これにより、レンズ１１の内部空間に雨水等が入り難くなる。したがって、奥行きや高さに制限があるとともに浸水の可能性もあり得る収容空間にも取り付けられる。
【００４３】
なお、上述した実施形態では、大径部３１および小径部３２が一体に成形されるガスケット３０を用いたが、例えば、図７(A)に示すようにこれらを別体に構成してもよい（改変例１）。即ち、ガスケット３０の大径部３１に相当するガスケット４０（断面形状が矩形状のＯリング）と、ガスケット３０の小径部３２に相当するガスケット５０（断面形状が円形状または楕円形状のＯリング）と、をガスケット３０に代えて構成してもよい。
【００４４】
また、ガスケット３０の大径部３１を廃止して、ガスケット３０の小径部３２に相当するガスケット５０だけを、レンズ１１の内周壁と管状部２２’の外周壁との隙間に設けてもよい（改変例２）。この場合には、管状部２２よりも軸方向長さが短い管状部２２’を有するエンドキャップ２０’を使用する必要がある。また、シール性がガスケット３０に比べて低下し得るが、ＬＥＤ灯具１０の長手方向（Ｙ軸方向）の長さを短くすることが可能になる。
【００４５】
さらに、図示していないが、ガスケット３０の小径部３２を廃止して、ガスケット３０の大径部３１に相当するガスケット４０だけを、レンズ１１の内周壁と管状部２２の外周壁との隙間に設けてもよい。
【００４６】
また、上述した実施形態では、レンズ１１は透明度が高い（無色透明）ものを使用したが、ＬＥＤ基板１５に実装されるＬＥＤチップ１６の存在がデザイン性を低下させたり、光源が点状に見えたりする等、外観上問題になる場合には、乳白色等を有する透明度が低い（半透明）のレンズをレンズ１１の代わりに使用してもよい。これにより、外観的にＬＥＤチップ１６の存在がわかり難くなるとともにＬＥＤチップ１６から発せられた光が拡散されて出射される。そのため、このような外観上の問題を解消することが可能になる。
【００４７】
また、上述した実施形態では、レンズ１１およびエンドキャップ２０をポリカーボネート製のもので構成したが、耐熱性、難燃性、電気的絶縁性等が良好な樹脂材料であれば、他のものでもよい。また、ガスケット３０をシリコンゴム製のもので構成したが、耐熱性、耐水性、耐薬品性等が良好な樹脂材料であれば、他のものでもよい。
【符号の説明】
【００４８】
１０…ＬＥＤ灯具
１１…レンズ（筒状レンズ）
１３…フレーム（支持部材）
１５…ＬＥＤ基板
１６…ＬＥＤチップ（発光ダイオード）
１７…電気配線
１８…ビス
１９…内圧調整シール
２０，２０’…エンドキャップ（キャップ）
２１…本体部
２２，２２’…管状部
２３…フランジ部
２８…タブ（押圧部）
３０，４０，５０…ガスケット（防水部材）
３１…大径部
３２…小径部
Ｘ…Ｘ軸方向（レンズの径方向）
Ｙ…Ｙ軸方向（レンズの軸方向）
Ｚ…Ｚ軸方向
【図１】
2018018820.tif 000003
【図２】
2018018820.tif 000004
【図３】
2018018820.tif 000005
【図４】
2018018820.tif 000006
【図５】
2018018820.tif 000007
【図６】
2018018820.tif 000008
【図７】
2018018820.tif 000009